(57)【要約】  本発明は、ブレーキキャリパ構造のブレーキレバーペアを共に形成し、また、第１の端部においてそれぞれが支持部に継合され且つ第２の端部において位置付け構造により互いに連結されている第１の及び第２のブレーキレバー構造を有する、停止集成装置に関する。第１の停止要素が第１のブレーキレバー構造の端部間に配置され、第２の停止要素が第２のブレーキレバー構造の端部間に配置されている。第１の及び第２の停止要素は、ブレーキレバー構造の制動設定と解除設定との間で互いに対向する方向および離間する方向の両方向への動作上の移動を可能にし、ブレーキレバー構造が傾動方向（Ｍ）に揃って傾動することを阻止する結果、ブレーキレバー構造が解除設定において傾動作用に対抗してブレーキ要素に対する所定の中心合わせ位置範囲内の中心合わせ位置において維持されるように、形成され互いに係合している。
2016540167.tif 000002
【特許請求の範囲】
【請求項１】
第１のブレーキレバー構造および第２のブレーキレバー構造（５，６）を有する停止集成装置であって、
前記第１のブレーキレバー構造および前記第２のブレーキレバー構造（５，６）は共に、ブレーキキャリパ構造（７）のブレーキレバーペアを形成し、
前記第１のブレーキレバー構造および前記第２のブレーキレバー構造（５，６）は、それぞれ、前記第１のブレーキレバー構造および前記第２のブレーキレバー構造（５，６）の第１の端部（８，９）において支持部（１０）上に継合され、かつ、前記第１のブレーキレバー構造および前記第２のブレーキレバー構造（５，６）の第２の端部（１５，１６）において位置付け構造（１７）によって互いに連結され、
第１の停止要素（３３；３３’）が、それぞれ、前記第１のブレーキレバー構造（５）の前記端部（５，１５）間に配置され、第２の停止要素（３４；３４’）が、前記第２のブレーキレバー構造（６）の前記端部（６，１６）間に配置され、
第１のおよび第２の停止要素（３３；３３’，３４；３４’）は、前記ブレーキレバー構造（５，６）のブレーキ位置と解除位置との間で互いに対向する方向および離間する方向の両方向への動作上の移動を可能にし、かつ、前記ブレーキレバー構造（５，６）同士が傾動方向（Ｍ）に揃って傾動することを阻止する結果、前記ブレーキレバー構造（５，６）が前記解除位置において傾動作用に対抗してブレーキ要素（２７）の所定の中心合わせ位置範囲内の中心合わせ位置において維持されるように、形成され噛合している、停止集成装置。
【請求項２】
前記中心合わせ位置範囲には、前記ブレーキレバー構造が前記解除位置において採用する第１の限界位置、および、第２の、摩耗関連の限界位置が含まれ、
前記ブレーキレバー構造（５，６）は、前記第２の限界位置よりも前記第１の限界位置においてさらに開かれる、請求項１に記載の停止集成装置。
【請求項３】
前記第１のおよび第２の停止要素（３３；３３’，３４；３４’）は、それぞれ、前記中心合わせ位置範囲内の中心合わせ位置において互いに当接する制御曲線輪郭部（３７；３７’，３８；３８’）を有する、請求項１または２に記載の停止集成装置。
【請求項４】
前記第１の停止要素（３７）は、制御カムとして形成され、かつ、前記第２の停止要素（３８）は、停止ローラとして形成されている、請求項１〜３のいずれか一項に記載の停止集成装置。
【請求項５】
前記制御カムは、第１の継合箇所（１４）において、および、前記ブレーキレバー構造（５；６）の前記第１のおよび第２の端部（５；６，８；９）間のブレーキパッド支持部（２９）の受容箇所（３２）において固定されている保持脚部（３５）を有する、請求項４に記載の停止集成装置。
【請求項６】
前記停止ローラ（８）は、ブレーキパッド支持部（２９）の受容箇所において前記ブレーキレバー構造（５，６）に固定されている、請求項４または５に記載の停止集成装置。
【請求項７】
前記第１の停止要素（３３，３３’）の前記制御曲線輪郭部（３７，３７’）は、第１の湾曲経路を有し、また、前記第２の停止要素（３４，３４’）の前記制御曲線輪郭部（３８，３８’）は、第２の湾曲経路を有し、前記第１のおよび第２の湾曲経路における曲率半径の曲率比は、３対１〜１対１の間、特に２対１である、請求項３〜６のいずれか一項に記載の停止集成装置。
【請求項８】
第１のおよび第２の停止要素（３３，３４；３３’，３４’）が、前記ブレーキレバー構造（５，６）が両傾動方向に揃って傾動することを阻止するように、前記第１のおよび第２のブレーキレバー構造（５，６）のそれぞれの上に配置されている、請求項１〜７のいずれか一項に記載の停止集成装置。
【請求項９】
前記停止要素（３３，３４；３３’，３４’）の少なくとも１つは、硬化性材料から形成され、前記制御曲線輪郭部（３７；３７’，３８；３８’）の領域において硬化され、かつ／または、コーティングされている、請求項１〜８のいずれか一項に記載の停止集成装置。
【請求項１０】
請求項１〜９のいずれか一項に記載の停止集成装置を有するブレーキ装置（１）。
【発明の詳細な説明】
【技術分野】
【０００１】
本発明は、第１のブレーキレバー構造および第２のブレーキレバー構造を有する停止集成装置であって、第１のブレーキレバー構造および第２のブレーキレバー構造は共に、ブレーキキャリパ構造のブレーキレバーペアを形成し、第１のブレーキレバー構造および第２のブレーキレバー構造は、それぞれ、第１のブレーキレバー構造および第２のブレーキレバー構造の第１の端部において支持部上に継合され、かつ、第１のブレーキレバー構造および第２のブレーキレバー構造の第２の端部において位置付け構造によって互いに連結されている、停止集成装置に関する。
【背景技術】
【０００２】
そのようなブレーキは、工業プラント内で広く使用されている。それらブレーキは通常、ディスクブレーキまたはドラムブレーキとして形成されている。この場合、２つのブレーキレバー構造はブレーキキャリパを形成し、ブレーキキャリパには２つのブレーキシュー（ブレーキパッドまたはブレーキライニング、ブレーキパッド支持部またはブレーキライニング支持部）が備わっており、減速対象のブレーキボディ（通常はディスクブレーキボディまたはドラムブレーキボディ）が当該ブレーキシュー間で動作する。ブレーキをかけるために、ブレーキキャリパ、したがってブレーキシューは、レバーメカニズムを介して締められており、ブレーキシューはブレーキボディに制動力を加え、その結果生じる摩擦力によって当該ブレーキボディの回転運動を阻止するかまたは停止させる。
【０００３】
そのようなブレーキの基本的設定は類似している。直立型ブレーキの場合、２つのブレーキレバーそれぞれの下側の（第１の）端部は、互いに対して或る距離を置いて基本フレーム（支持部）上にスイベルによって取り付けられている。上記ブレーキレバーの上側の（第２の）端部において、それらブレーキレバーは、調節レバー、ロッカアーム、および、調節ロッドを介して互いに連結されている。調節レバーは、ロッカアームと同調して移動し、一方の端部においてブレーキレバーの上側端部にジョイントによって（in articulated fashion）接続され、かつ、当該調節レバーの調節脚部においてブレーキ解除装置または解除装置とブレーキばねとによって継合されている。上記ブレーキ解除装置または解除装置、および、ブレーキばねはまた、上記ブレーキレバーの他方の（下側の）端部において支持部にジョイントによって取り付けられている。
【０００４】
調節レバーに連結されたロッカアームは、脚部側の端部を介して、調節ロッドの一方の端部にジョイントによって連結され、当該調節ロッドは、当該調節ロッドの他方の端部によって他方のブレーキレバーの上側端部上に継合されている。ブレーキをかけるために調節レバーを、ブレーキ解除装置および／またはブレーキばねを介して引き下げ、調節ロッドと係合するロッカアームの関連付けられた傾動によって、ブレーキレバーの２つの端部間の距離が減少し、その際に、ブレーキレバー同士またはブレーキパッド同士が合わさるキャリパの移動が行われ、それによりブレーキボディに作用する。
【０００５】
ブレーキの解除または解放のために、解除装置またはブレーキ解除装置は、調節レバーの脚部を強制的に上に上げることにより、２つのブレーキレバーを押し離してブレーキレバーを開くキャリパの移動、または、解除のキャリパの移動を実行する。ブレーキパッドは、解放されたブレーキボディから外される。
【０００６】
上記操作中、ブレーキパッド、および、（ブレーキパッドに比して低程度であるが）ブレーキボディは摩耗する。補償されない場合、かかる摩耗によって、ブレーキがかかる距離が増大することにより、反応時間および制動特性（制動力）が変化し得る。かかる摩耗を補償するために、調節ロッドには、再調節メカニズムが備えられている。上記再調節メカニズムでは、停止フリーラン心棒構造（stop-free run-spindle arrangement）を介して、調節ロッドの長さを摩耗に応じて減少させることにより、ブレーキがかかる距離をほぼ一定のままにする。
【０００７】
これらレバーブレーキの他の課題は、ブレーキの解除の際に調節要素（ブレーキ解除装置およびブレーキばね）によって傾動力が加えられることである。上記傾動力によって、２つのブレーキレバーが１つの方向に一致して旋回／傾動され得、それによりブレーキパッドはブレーキボディに当接し、ブレーキボディを摩擦する。
【０００８】
かかる課題を解決するために、ブレーキレバーと基本フレームとの間で効力を生じ、上記傾動を防止する停止部（stops）（再調節可能な停止部）がある（すなわち、解放されたブレーキレバーの中心をブレーキボディに合わせる）。摩耗に応じて随時手動で再調節される停止部、または、再調節メカニズムであって当該再調節メカニズムを自動的に更新することによって調節する（すなわち、ブレーキレバー位置の摩耗に関連する変化に適合させる）再調節メカニズムを有する停止部が存在する。そのような停止メカニズムは、例えば、特許文献１から知られている。それら停止メカニズムでは、例えば、入れ子式にはめ込まれることができる調節クランクおよび／または線形フリーランが使用され、それらはすべて、ブレーキレバーと支持部（フレーム）との間で効力を生じる。そのようなメカニズムは、比較的複雑な構成であり、広範囲のメンテナンスが必要とされ得る。したがって、改良され、特に簡易化されたブレーキレバーメカニズムの傾動を防止する中心合わせメカニズムを提供することが目的である。
【先行技術文献】
【特許文献】
【０００９】
【特許文献１】独国特許出願公開第１９６０９７６４号明細書
【発明の概要】
【課題を解決するための手段】
【００１０】
かかる目的は、本発明の請求項１の主題によって達成される。
【００１１】
本発明に係る停止集成装置は、第１のブレーキレバー構造および第２のブレーキレバー構造であって、ブレーキキャリパ構造のブレーキレバーペアを共に形成し、前記第１のブレーキレバー構造および前記第２のブレーキレバー構造の第１の端部において、それぞれが支持部上で継合され、かつ、前記第１のブレーキレバー構造および前記第２のブレーキレバー構造の第２の端部において、位置付け構造によって互いに連結されている第１のブレーキレバー構造および第２のブレーキレバー構造を備える。各形態において、第１の停止要素は第１のブレーキレバー構造の端部間に配置され、第２の停止要素は第２のブレーキレバー構造の端部間に配置されている。第１のおよび第２の停止要素は、ブレーキレバー構造のブレーキ位置と解除位置との間で互いに対向する方向および離間する方向の両方向への動作上の移動を可能にし、かつ、旋回レバーが傾動方向に揃って傾動することを阻止する結果、ブレーキレバーペアが、ブレーキ要素がブレーキボディに接触することなく、解除位置において傾動作用に対抗してブレーキボディに対する所定の中心合わせ位置範囲内で維持されるように、設計されかつ互いに噛合している。
【００１２】
本発明はまた、上記のような停止集成装置を有するブレーキ装置に関する。
【００１３】
本発明のさらなる態様および特徴を従属請求項、添付の図面、および、以下の実施形態の説明において特定する。
【００１４】
ここで本発明の実施形態を、添付の図面を参照して例示として説明する。
【図面の簡単な説明】
【００１５】
【図１】本発明に係る停止装置を有するブレーキ装置を上方から斜めに見た斜視図である。
【図２】解除位置にあり、新品のブレーキパッドを有する、図１に示したブレーキ装置の前面図である。
【図３】締められた位置にあり、摩耗したブレーキパッドを有する、図１に示したブレーキ装置の前面図である。
【図４】解除装置およびブレーキばね構造を有する、図１に示したブレーキ装置の斜視図である。
【図５】代替的な停止装置を有する、図１に示したブレーキ装置の前面図である。
【発明を実施するための形態】
【００１６】
図１は、本発明に係る停止集成装置の例示的実施形態を示す。実施形態の全般的説明を最初に行い、次いで、詳細な説明を行う。
【００１７】
本発明に係る停止集成装置の特徴は、共に第１のおよび第２のブレーキレバー構造上に配置されている第１の停止要素および第２の停止要素である。それら第１の停止要素および第２の停止要素は、互いに係合することにより、ブレーキレバー構造のブレーキ位置と解除位置との間での両方向への動作上の移動を可能にし、かつ、両旋回レバー構造が一方向に揃って傾動することを阻止するように、形成および設計されている。したがって、解除位置では、ブレーキレバーペアは、ブレーキボディに対する所定の中心合わせ位置範囲内の傾動から守られる。ブレーキパッドまたはブレーキボディの一方だけに偏って摩耗が生じることはなく、摩耗は、一方だけに偏らずに、ブレーキボディ上のブレーキパッドの当接によって生じ得る。本停止要素には、追加的な再調節メカニズムは不要である。本停止要素がブレーキレバーの互いに対する位置とは関係なくあらゆる動作位置において傾動を阻止するからである。
【００１８】
本明細書において、揃って傾動することは、ブレーキ構造全体、特にブレーキレバー構造が、同時にかつ／または一致して一方向に移動するように調節されていることを指す。
【００１９】
ブレーキレバー構造が位置付け構造を介して非対称に継合されているため、実質的に直立のブレーキレバー構造の場合に、好ましい傾動方向が存在する。停止集成装置は、ブレーキレバー構造がかかる好ましい傾動方向に対抗して維持されるように形成されている。ここでブレーキレバー構造は、ブレーキボディに対する所定の中心合わせ位置範囲内に保持され、この中心合わせ位置範囲は、ブレーキ要素がこの範囲内ではブレーキボディに接触することができないように調節されている。
【００２０】
かかる中心合わせ位置範囲が、ブレーキレバー構造が解除位置において採用する第１の限界位置、および、第２の摩耗関連限界位置（wear-related limit position）を含む実施形態が存在する。第１の限界位置では、ブレーキレバー構造はさらに開かれる。かかる第１の限界位置は、ブレーキボディおよびブレーキ要素が殆ど新品である状態に関係している。第２の限界位置では、ブレーキレバー構造はさらに閉じられる（すなわち、ブレーキ要素またはブレーキボディ上の摩耗による除去部分が閉じられる）。ブレーキレバー構造の中心合わせ位置範囲内での位置は、摩耗による再調節によって調節される。摩耗による再調節によって、ブレーキレバー構造の互いに対する位置が制動動作中に必要に応じてまたは自動的に修正される。
【００２１】
一実施形態では、第１のおよび第２の停止要素のそれぞれには制御曲線輪郭部（control curve contour）が設けられ、それら制御曲線輪郭部は、中心合わせ位置範囲内の中心合わせ位置において互いに当接する（自己係止によって互いに当接する）。その結果、ブレーキレバー構造上に作用する傾動効果によって、第１の停止要素の制御曲線輪郭部が第２の停止要素の制御曲線輪郭部に当接し、このように停止要素の制御曲線輪郭部を介して連結されたブレーキレバー構造のさらなる傾動を阻止する。
【００２２】
一実施形態では、第１の停止要素は制御カムとして形成され、第２の停止要素は停止ローラとして形成されている。かかる実施形態によって、単純な制御曲線の組合せを得ることができ、一方の制御曲線は一定の半径を有する放射状面（radial surface）として停止ローラ上に形成され、他方の制御曲線表面は、制御曲線輪郭部の上記一方の制御曲線に適合された湾曲経路（curvature course）を有する。ブレーキを締める時およびブレーキの解除時の制動動作中、両表面が互いに一定の距離離間したままであるか、または、互いに滑動するかもしくは転がるのに対して、一方向の傾動負荷状況下では、制御カムは当該制御カムの制御曲線輪郭部によって停止ローラを支持し、停止ローラに寄り掛かることにより傾動を阻止する。
【００２３】
一実施形態では、制御カムは、一方ではブレーキレバー構造の第１の継合箇所で固定され、他方ではブレーキレバー構造の第１の端部と第２の端部との間のブレーキパッド支持部の受容箇所で固定されている環状部（loop）として形成されている。これらの箇所は、２つの非常に安定したジャーナルまたはシャフト端部を提供する。これらジャーナルまたはシャフト端部は、高精度に位置付けられることができ、また、制御カムとして使用される環状部は、これらジャーナルまたはシャフト端部上に、負荷に即して正確に位置付けられることができ、かつ、固定されることができる。
【００２４】
他の実施形態では、停止ローラは、ブレーキパッド支持部の受容箇所においてブレーキレバー構造に固定されるのみである。ブレーキローラが点対称に形成されているため、単一の固定箇所があれば十分である。この固定箇所には、ブレーキ要素および／またはブレーキパッド支持部をブレーキレバー構造内で受容するシャフト端部が特に適している。従来の設計のブレーキレバー構造は、かかる領域内で相対的に近接しているため、小型かつ頑強な停止要素がカムおよびローラとして、または、２つの係合カムとして形成されることができる。
【００２５】
一実施形態では、第１の停止要素上の制御曲線輪郭部内に形成された曲率半径と、第２の停止要素の制御曲線輪郭部の湾曲経路に沿った曲率半径との曲率関係の比は、３対１と１対１との間、特に２対１である。したがって、２つの制御曲線輪郭部の接触領域における有効な面圧は、停止要素の過負荷を回避するように適合されることができる。これにより、同時に、例えば１つの制御曲線輪郭部が固定された半径を有し、一方で第２の制御曲線輪郭部が、曲率半径が変化する湾曲経路を有することで、制動および解除操作時のブレーキレバー構造の互いに対する可動性を確実に実現することができる。
【００２６】
また、旋回レバー構造の傾動が両傾動方向において阻止される実施形態も存在する。かかる実施形態が実現されるのは、第１の停止要素および第２の停止要素が２つのブレーキレバー構造のそれぞれの上（例えば、ブレーキレバー構造の２つの対向する側）に配置され、次いで、それら第１の停止要素および第２の停止要素が交差して係合することにより、両方向への傾動を阻止する場合である。かかる実施形態は、一方では解除装置および／またはブレーキばねを介して適用される機能関連の傾動効果、ならびに、他方ではブレーキレバー構造の水平方向の配置等による（例えば、鉛直方向のブレーキディスク軸を有するブレーキレバー構造による）重力によって生じ得る位置関連の傾動効果を抑制するために使用される。このように両側で機能する停止集成装置によって、そのようなレバーブレーキの任意の設置位置が実現され、また、解除位置におけるブレーキパッドの互いに対する、中心を合わせた非接触位置が確実に実現される。
【００２７】
一実施形態では、停止要素は、硬化性材料、および／または、ほとんど摩耗せずに、生じる負荷（面圧）に耐えるように表面処理を施した制御曲線領域から形成されている。したがって、一方では摩耗を減少させることによって停止要素の交換間隔を延長することができ、かつ、他方では、永続的な操作においてさえ、制御曲線の輪郭経路が十分に一定であり、かつ、摩耗関連の不精確性が低減されることから、中心合わせの精度を高めることができる。
【００２８】
本発明に係るそのような停止集成装置を有するブレーキ装置は、解除位置であっても複雑な追加的な可動性の調節要素を必要とせずに、ブレーキレバー要素の互いに対する位置とは無関係に自己の中心合わせを行う。
【００２９】
実施形態の説明
本発明に係る停止集成装置の設計および機能、ならびに／または、そのような停止集成装置を有するブレーキレバー構造を図１〜図４を用いて以下に説明する。
【００３０】
図１は、工業用ブレーキ１を示す。図１では、ブレーキばね構造３および解除装置４（図４参照）は、停止集成装置２を理解しやすいように省略されている。
【００３１】
停止集成装置２は、通常のブレーキキャリパ構造７内のブレーキレバーペアを共に形成する第１のブレーキレバー構造および第２のブレーキレバー構造５，６を備える。この目的のために、第１のブレーキレバー構造および第２のブレーキレバー構造５，６は、それぞれ、第１のブレーキレバー構造および第２のブレーキレバー構造５，６の第１の（下側の）端部８，９において、支持部を形成する基板１０上に配置されている基部１２，１３を介して基板１０上で継合されている。この場合、ジョイントは、ブレーキレバー構造５，６および基部１２，１３を貫通するボルト１４を形成している。
【００３２】
ブレーキレバー構造５，６の第２の（上側の）端部１５，１６において、ブレーキレバー構造５，６は、位置付け構造１７を介して継合されている。位置付け構造１７は、ピボットボルト１８，１９を介してブレーキレバー構造５，６に連結している。位置付け構造１７は、角度調節レバー構造（angle lever arrangement）２０を備える。角度調節レバー構造２０は、ピボットボルト１８上にジョイントによって取り付けられている。角度調節レバー構造２０は、ブレーキレバー構造５，６に対して横方向に延在する制御脚部２１と、制御脚部２１から突出し、かつ、ブレーキレバー構造５にほぼ平行に延在する短い位置付け脚部２２とを備える。
【００３３】
ねじ山付き心棒構造２６を介して調節ロッド２４の軸２５に沿って長さが調節されることができる調節ロッド２４は、制御脚部２１における継合箇所２３とピボットボルト１９との間に延在している。
【００３４】
各ブレーキレバー構造５，６は、各ブレーキレバー構造５，６の第１の（下側の）端部８，９と第２の（上側の）端部１５，１６との間に、ブレーキパッド２８およびブレーキパッド支持部２９から形成されているブレーキ要素２７を具備する。図示の実施形態において、ブレーキディスク３１として形成されているブレーキボディは、ブレーキパッド２８の、対向するブレーキ面３０間に延在している。ブレーキパッド支持部２９は、それぞれ、支持ボルト３２を介して第１のブレーキレバー構造および第２のブレーキレバー構造５，６にジョイントによって取り付けられている。支持ボルト３２の一方の端部は、それぞれ、ブレーキレバー構造５，６から突出し、第１の停止要素３３および第２の停止要素３４を貫通している。
【００３５】
第１の停止要素３３は、保持脚部３５を備える多脚レバーとして形成され、保持脚部３５は、保持脚部３５の上側端部において支持ボルト３２によって貫通され、かつ、保持脚部３５の下側端部においてボルト１４によって貫通されて第１のブレーキレバー構造５上に回転不能に取り付けられる結果、第１の停止要素３３が第１のブレーキレバー構造５のあらゆる旋回移動に追随する。さらに、第１の停止要素３３は、制御脚部３６を有し、制御脚部３６は、制御脚部３６が第２のブレーキレバー構造６の領域内に延在している箇所から保持脚部３５に対してほぼ横方向に延在している。制御脚部３６は、制御曲線輪郭部３７を有する。
【００３６】
かかる実施形態では、第２の停止要素３４は、支持ボルト３２上に、特に回転可能に配置されている円形ディスクとして形成され、この円形ディスクの円筒外周面３８が同様に、制御曲線輪郭部３７と任意で噛合する制御曲線輪郭部を形成している。第１のおよび第２の停止要素３３，３４は任意で、硬化性材料から形成されており、また任意で、各制御曲線輪郭部３７，３８の領域内に、かかる領域の摺動特性および／または耐摩耗性を向上させるコーティングを有する。
【００３７】
制動機能を、図１〜図３を用いて説明する。図１〜図３のそれぞれでは、工業用ブレーキ１が示され、また、解除装置４およびブレーキばね構造３が省略されている。ブレーキ１をかける（締める）ために、ブレーキばね構造３は、クロスボルト４２を介して角度調節レバー構造２０の制御脚部２１に連結されている制御レバー４１に、ブレーキばね構造３の心棒３９および横材（cross piece）４０を介して調節力Ｂを加える。このように、制御脚部２１は、ピボットボルト１８を軸にして旋回移動し、その際、継合箇所２３を介して調節ロッド２４に作用し、ピボットボルト１９において調節ロッドを介して第２のブレーキレバー構造６に作用する。その結果、２つのブレーキレバー構造５，６は、キャリパの移動において対向方向に移動する。かかる移動に関連し、ブレーキ要素２７同士は、寄せ合わせられることで、ブレーキディスク３１に当接し、生じる摩擦力を介してブレーキディスク３１の回転を阻止する制動効果を有する。
【００３８】
ブレーキの解除または解放のために、解除装置４は、制御レバー４１の端部４３に力Ｌを加え、調節力Ｂに対して反対方向に旋回させる。その結果、第１のおよび第２のブレーキレバー構造の端部８，９が、連結されている角度調節レバー構造２０および調節ロッド２４を介してキャリパのように引き離されることにより、ブレーキ要素２７をブレーキディスク３１から解放する。
【００３９】
解除装置４およびブレーキばね構造３の両方が、軸方向力を伝達することに適するのみであるため、それら解除装置４およびブレーキばね構造３は、解除装置４およびブレーキばね構造３の端部において制御レバー４１によって連結されているか、または、ボルト１４によって追加基部４４を介して基板１０にジョイントによって連結されている。制御レバー４１が解除装置４を介して端部４３において非対称に継合される結果、調節ロッド２４を介して伝達される広げる力および傾動モーメントＭが生じ、それら広げる力および傾動モーメントＭは、２つのブレーキレバー構造５，６を同じ方向に動かし得る。この点に関し、ブレーキ表面３０の一方が、ブレーキパッド２８が解放（解除）される場合であってもブレーキディスク３１に当接し得、ブレーキディスク３１が回転する場合に摩耗し得、かつ／または、ブレーキディスク３１を摩耗させ得る。
【００４０】
かかる影響は、２つの停止要素３３および３４の係合する制御曲線輪郭部３７および３８によって防止される（図１〜図３参照）。この点に関し、制御曲線輪郭部３７は、第１のおよび第２のブレーキレバー構造５および６に対する同じＭ方向の位置的影響（positional effect）の場合に、制御曲線輪郭部３７が第２の停止要素３４の制御曲線輪郭部３８（ここでは円筒面）を支持することにより、第１のブレーキレバー構造５がさらにＭ方向に移動することができないように防止するように、形成されている。調節ロッド２４を介して第２のブレーキレバー構造６が同時に連結されていることにより、第２のブレーキレバー構造６、および／または、第２のブレーキレバー構造６上に懸吊されているブレーキ要素２７のブレーキディスク方向へのさらなる移動もまた防止される。したがって、両ブレーキレバー構造５および６は、ブレーキディスクに対して中心を合わせた位置（中心合わせ位置）に保持される（図２参照）。解除ギャップＳが、ブレーキディスク３１と、ブレーキパッド２８および／またはブレーキパッド２８のブレーキ表面３０との間で両側において存続する。
【００４１】
ここで、制御曲線輪郭部３７は、２つのブレーキレバー構造５および６の対向方向へのキャリパのような制動動作の際、ブレーキを締める時に障害物にならずに、制御曲線輪郭部３７および３８が互いの上を滑動するか、または、第２の停止要素３４が回転ディスクとして形成されている場合に互いに転がるように、形成されている。任意選択の実施形態では、解除ギャップＳに一致する隙間ａを制御曲線輪郭部３７，３８間に設ける。隙間ａはここで、中心合わせ位置において制御曲線輪郭部３７，３８が互いに当接するが、ブレーキパッド２８の一方がブレーキパッド２８のブレーキ表面３０を介してブレーキディスク３１に当接せずに、減少させた解除ギャップＳが一方側に残っているように、決定される。
【００４２】
ブレーキの長期の動作の間に、ブレーキパッド２８およびブレーキディスク３１は共に摩耗し、薄くなる（図３）。可能な限り一定のブレーキ特性を得るために、かかる摩耗は、ねじ山付き心棒構造２６を、調節ロッド２４をねじってねじ山付きスリーブ２６Ａ内に入れて調節することによって補償される。かかる補償は、定期的に手動でなされることができるか、または、ブレーキパッド２８またはブレーキディスク３１の摩耗の増大につれて、制御スロット４５を介して調節ロッド２４に連結されたフリーラン４６に作用し、調節ロッド２４をかかるフリーランを介して回転させることにより有効な長さを継合箇所２３とピボットボルト１９との間で適切に短くする再調節メカニズムを介してなされることができる。その結果、ブレーキパッド２９とブレーキディスク３１との間の解除ギャップＳを埋めるために越えなければならない実際のブレーキ距離は、十分に一定のままである。
【００４３】
制御曲線輪郭部３７，３８は、それら制御曲線輪郭部３７，３８がかかる位置付け補償を妨げないように同調する。円筒のまたは円形の制御曲線輪郭部３８の場合、上記同調は、例えば、縮閉線形の（involute-shaped）湾曲した制御曲線輪郭部３７であって、かかる制御曲線輪郭部３７に沿って中心合わせ位置範囲Ｚ（一点鎖線の範囲）が延在する制御曲線輪郭部３７を介して実現される。この場合、円形の制御曲線輪郭部３８の半径の、制御曲線輪郭部３７の湾曲経路の半径に対する比は、約１対２である。停止要素３３および３４は、平らな制御ディスクまたは停止ローラとして形成されている。制御ディスクまたは停止ローラは、支持ボルト３２およびボルト１４等の既に利用可能な要素を使用することによって既存の工業用ブレーキに大きな労力を要せずに追加されることができる。
【００４４】
図５は、代替的な停止要素３３’および３４’を有する例示的実施形態を示す。かかる例示的実施形態では、第１の停止要素３３’はフック形状に形成され、第２の停止要素３４’はまた、回転しないように固定されて２箇所において第２のブレーキレバー構造６に保持脚部３５’を介して連結され、かつ、制御曲線輪郭部３７’と噛合する制御曲線輪郭部３８’を有する耳の形状の（lug-shaped）制御脚部３６’を有する。かかる実施形態では、制御曲線輪郭部３７’は、制御曲線輪郭部３８’よりも湾曲している。制御曲線輪郭部３７’および制御曲線輪郭部３８’の曲率半径の比は、約１：１〜約１：３である。中心合わせ位置範囲Ｚは制御曲線輪郭部３８’に沿って、耳の下側上に延在している。隙間ａはまた、この実施形態において任意選択で設けられる。かかる実施形態では、各ブレーキレバー構造５および６に伝達される中心合わせ力は、略左右対称に、かつ、ボルト１４および３２上の４つの継合箇所全体に亘って分配される。その結果、これら継合箇所への負荷は低減されることができ、ブレーキレバー構造５，６は十分左右対称に応力を受けることができる。
【００４５】
他の例示的実施形態では、適切な停止要素３３および３４を各ブレーキレバー構造５，６上に、すなわち、交差した反対側位置に設ける。その結果、第１の停止要素３３および第２の停止要素３４が第１のブレーキレバー構造５上に配置され、第２の停止要素３４および第１の停止要素３３が、それぞれ、適切な反対側位置に第２のブレーキレバー構造６上に配置され、これら第２の停止要素３４および第１の停止要素３３は、既知の方法で第１のブレーキレバー構造５上の対応する停止要素と噛合している。そのような配置では、ブレーキキャリパ構造７全体の中心合わせは、両方向において確実に実現される。そのような工業用ブレーキは、いかなる位置でも（すなわち、水平方向に延在するブレーキディスクの場合も）、解除装置４またはブレーキばね構造３を介して加えられ得る内力、および、ブレーキレバー構造５および６に作用し、ブレーキレバー構造５および６の全体を傾動させる外力（重力）無く、使用されることができる。
【００４６】
本発明のさらなる実施形態および変形形態が請求項に基づいて得られる。
【符号の説明】
【００４７】
１  工業用ブレーキ
２  停止集成装置
３  ブレーキばね
４  解除装置
５  第１のブレーキレバー構造
６  第２のブレーキレバー構造
７  ブレーキキャリパ構造
８  第１の（下側の）端部
９  第１の（下側の）端部
１０  基板（支持部）
１２  基部
１３  基部
１４  ボルト
１５  第２の（上側の）端部
１６  第２の（上側の）端部
１７  位置付け構造
１８  ピボットボルト
１９  ピボットボルト
２０  角度調節レバー構造
２１  制御脚部
２２  調節脚部
２３  継合箇所
２４  調節ロッド
２５  軸
２６  ねじ山付き心棒構造
２７  ブレーキ要素
２８  ブレーキパッド
２９  ブレーキパッド支持部
３０  ブレーキ表面
３１  ブレーキディスク
３２  支持ボルト
３３  第１の停止要素
３４  第２の停止要素
３５  保持脚部
３６  制御脚部
３７  制御曲線輪郭部
３８  制御曲線輪郭部
３９  心棒
４０  横材
Ｂ  締める力
Ｌ  解除力
Ｍ  モーメント／傾動方向
４１  制御レバー
４２  クロスボルト
４３  端部
４４  追加基部
４５  制御スロット
４６  フリーラン
【図１】
2016540167.tif 000003
【図２】
2016540167.tif 000004
【図３】
2016540167.tif 000005
【図４】
2016540167.tif 000006
【図５】
2016540167.tif 000007
【国際調査報告】
2016540167.tif 000008
2016540167.tif 000009
2016540167.tif 000010
2016540167.tif 000011